(57)【特許請求の範囲】
【請求項１】
ロール本体の一側端面に複数の横穴を形成し且つ、該ロール本体の周面に該横穴に連通する複数の縦穴を形成すると共に、該ロール本体の周面に少なくとも一つの受け刃を有してなるアンビルロールを設け、
上記アンビロールに隣接して、上記受け刃と接触するナイフをロール周面に少なくとも一つ有したナイフロールを設け、且つ、
搬送されてくる連続した長尺状の被貼付シートを上記アンビルロールに密着させるニップロールを設けてあり、
上記横穴に連通した上記縦穴から吸引を行うと共に上記アンビルロールと上記ナイフロールを互いに逆向きとなるように回転させた状態で、該アンビルロールの周面に、該アンビルロールの回転速度よりも遅い速度で長尺状の貼付シートを巻き付けるようにして供給し、上記受け刃と上記ナイフとの接触により該貼付シートを間欠的に切断し、その切断した短冊状の該貼付シートを上記被貼付シートに転写して貼付するようにした貼付シートの間欠切断転写装置であって、
複数の上記縦穴の開口周縁部に、該縦穴の開口面積よりも大きな開口面積を持つ開口凹部を形成し、該開口凹部内に該各縦穴をそれぞれ仕切る隔壁を設け、且つ該開口凹部を覆うようにして上記ロール本体の周面全体にメッシュ状の吸引プレートを固定した
ことを特徴とする貼付シートの間欠切断転写装置。
【請求項２】
上記ロール本体の一側端面に開口する円形状に配列された上記横穴に対応して円弧状の溝を形成した吸引部材を、該ロール本体の一側端面に設け、該溝より該横穴からエアーを吸引するようにしたことを特徴とする請求項１記載の貼付シートの間欠切断転写装置。
【請求項３】
上記吸引部材を上記ロール本体の他側端面に設けたことを特徴とする請求項２記載の貼付シートの間欠切断転写装置。
【請求項４】
上記吸引プレートは、金網又は複数の微細孔を有するプレートであることを特徴とする請求項１〜３のうちいずれか１に記載の貼付シートの間欠切断転写装置。
【発明の詳細な説明】
【０００１】
【発明の属する技術分野】
本発明は、連続した長尺状の貼付シートをアンビルロールに供給しナイフロールによって該貼付シートを間欠的に短冊状として切断し、その切断後の短冊状の貼付シートを長尺状の被貼付シートに転写するようにした貼付シートの間欠切断転写装置に関する。
【０００２】
【従来の技術及び発明が解決しようとする課題】
例えば、おむつには、腰部分に相当する位置に該おむつを固定するためのランディングテープがバックシートに貼着されている。また、生理用ナプキンには、該生理用ナプキンの装着ずれを防止するためのずれ防止用の粘着テープがバックシートに貼着されている。かかる粘着テープは、例えば図６に示す間欠切断転写装置によってバックシートに貼着されるようになされている。
【０００３】
この間欠切断転写装置は、連続した長尺状の粘着シート１０１を、互いに逆向きに回転するアンビルロール１０２とナイフロール１０３間に、該アンビルロール１０２の周面に巻き付けるようにして供給し、これらアンビルロール１０２とナイフロール１０３に設けられた受け刃１０４とナイフ１０５を接触させて、長尺状の粘着シート１０１を間欠的に切断し、その切断した短冊状の粘着シート１０１（以下、単に短冊テープ１０１ａという）をバックシート（図示は省略する）に所定間隔を持って転写して貼着させるように構成したものである。
【０００４】
上記間欠切断転写装置においては、切断後の短冊テープ１０１ａをバックシートに間欠的に転写して貼着させる必要があることから、長尺状の粘着シート１０１をアンビルロール１０２の回転速度よりも遅い速度で供給することによって、該粘着シート１０１をアンビルロール１０２の周面上で滑らせるようにして、該粘着シート１０１を切断するようにしている。
【０００５】
また、この間欠切断転写装置では、切断後の短冊テープ１０１ａを、バックシートに貼着させるまでの間、アンビルロール１０２の周面に貼り付けて置く必要があるために、該アンビルロール１０２の一側端面に複数の横穴１０６を形成すると共に、そのロール周面に横穴１０６に連通する複数の縦穴１０７を形成し、該横穴１０６から吸引を行うように構成されている。
【０００６】
しかし、上記間欠切断転写装置においては、縦穴１０７の直径が１〜３ｍｍ程度と小さな穴であるために、圧力損失が大きく、サクションエアー源のブロアーやファンの能力を最大限に生かせない。また、縦穴１０７の数が少ないために、ロールに対する粘着シート１０１の把持面積が少なく低把持力になる。このため、粘着シート１０１がアンビルロール１０２に対して点で把持される如くロール面上において滑ることから、図７に示すように、短冊テープ１０ａにシワが発生し易い。さらには、短冊状でテープが把持されている間に、短冊テープ１０ａのシワ部分から空気が流入し、引き剥がし力が発生してしまう。
【０００７】
そこでさらに、従来においては、図８に示すように、アンビルロール１０２の回転速度を粘着シート１０１の供給速度と同速度にして、該粘着シート１０１を切断し、切断後の短冊テープ１０１ａをアンビルロール１０２から受け取る時の受け入れ速度とバックシート１０８に受け渡す時の受け渡し速度とが異なるように設計したリピッチドラム１０９を、アンビルロール１０２の下流に配置し、該リピッチドラム１０９によって短冊テープ１０１ａを間欠的にバックシート１０８に転写させるようにした間欠切断転写装置が提案されている。
【０００８】
リピッチドラム１０９は、複数のアーム１１０を有し、アンビルロール１０２より短冊テープ１０１ａを受け取る時にはアーム１１０の速度は遅く、短冊テープ１０１ａをバックシート１０８に受け渡す時にはアーム１１０の速度は早く作動し、受け取り時から受け渡し時にかけて次第にそのアーム速度が早くなり、逆に受け渡し時から受け取り時にかけて次第にそのアーム速度が遅くなるようになされている。なお、短冊テープ１０１ａの受け渡し部分には、バックシート１０８をアーム１１０の先端に保持した短冊テープ１０１ａに押し付けるためのニップローラ１１１が設けられている。
【０００９】
この装置では、粘着シート１０１とアンビルロール１０２との間に相対速度が発生しないため、該粘着シート１０１及び短冊テープ１０１ａにシワが発生するのを防止できる。しかしながら、かかる装置においては、リピッチドラム１０９が必要なため、機構が複雑となり、且つ広いスペースが必要になる。
【００１０】
また、特開平３−１６６１５２号公報には、固定子とローラ本体とが分離し、外側のローラ本体のみが回転する構造のウエブ材料を搬送させるための吸引ローラーが提案されている。
しかし、この吸引ローラーでは、サクション効率を上げリークを少なくするためには、隙間を限りなく小さくする必要があるが、サクション時のローラーの微小変形による摩擦が起こる。このため、隙間を大きくとるとエアーリークが大きくなりサクション効率が低下する。
【００１１】
従って、本発明は、連続した長尺状の貼付シートをアンビルロールとナイフロールとの間に供給して該貼付シートを短冊状に切断するに際して、該アンビルロールに巻き付く該貼付シートにシワを発生させず、且つ該貼付シートと該アンビルロール間に空気が流入するのを防止して、長尺状の該貼付シートを高速で間欠的に切断し、切断後の短冊状の貼付シートを被貼付シートに転写することのできる、貼付シートの間欠切断転写装置を提供することにある。
【００１２】
【課題を解決するための手段】
請求項１記載の発明は、ロール本体の一側端面に複数の横穴を形成し且つ、該ロール本体の周面に該横穴に連通する複数の縦穴を形成すると共に、該ロール本体の周面に少なくとも一つの受け刃を有してなるアンビルロールを設け、上記アンビロールに隣接して、上記受け刃と接触するナイフをロール周面に少なくとも一つ有したナイフロールを設け、且つ、搬送されてくる連続した長尺状の被貼付シートを上記アンビルロールに密着させるニップロールを設けてあり、上記横穴に連通した上記縦穴から吸引を行うと共に上記アンビルロールと上記ナイフロールを互いに逆向きとなるように回転させた状態で、該アンビルロールの周面に、該アンビルロールの回転速度よりも遅い速度で長尺状の貼付シートを巻き付けるようにして供給し、上記受け刃と上記ナイフとの接触により該貼付シートを間欠的に切断し、その切断した短冊状の該貼付シートを上記被貼付シートに転写して貼付するようにした貼付シートの間欠切断転写装置であって、複数の上記縦穴の開口周縁部に、該縦穴の開口面積よりも大きな開口面積を持つ開口凹部を形成し、該開口凹部内に該各縦穴をそれぞれ仕切る隔壁を設け、且つ該開口凹部を覆うようにして上記ロール本体の周面全体にメッシュ状の吸引プレートを固定したことを特徴とする貼付シートの間欠切断転写装置を提供することにより、上述の目的を達成したものである。
【００１４】
請求項２記載の発明は、上記ロール本体の一側端面に開口する円形状に配列された上記横穴に対応して円弧状の溝を形成した吸引部材を、該ロール本体の一側端面に設け、該溝より該横穴からエアーを吸引するようにしたことを特徴とする請求項１記載の貼付シートの間欠切断転写装置を提供することにより、上述の目的を達成したものである。
【００１５】
請求項３記載の発明は、上記吸引部材を上記ロール本体の他側端面に設けたことを特徴とする請求項２記載の貼付シートの間欠切断転写装置を提供することにより、上述の目的を達成したものである。
【００１６】
請求項４記載の発明は、上記吸引プレートを、金網又は複数の微細孔を有するプレートとしたことを特徴とする請求項１〜３のうちいずれか１に記載の貼付シートの間欠切断転写装置を提供することにより、上述の目的を達成したものである。
【００１７】
【発明の実施の形態】
以下、本発明を適用した具体的な実施形態について図面を参照しながら詳細に説明する。
図１は本実施形態における貼付シートの間欠切断転写装置の側面図、図２は本実施形態における貼付シートの間欠切断転写装置の斜視図、図３は一方の吸引プレートを取り外した状態のアンビルロールの斜視図、図４はアンビルロールの断面図、図５はアンビルロールの端面に配置される吸引部材を示す斜視図である。
なお、図２では、貼付シート１０のアンビルロール５に対する巻き付け状態を判り易くするために、図１に対してナイフロール７の大きさを小さなものとして表している。
【００１８】
本実施形態の貼付シートの間欠切断転写装置は、図１ないし図５に示すように、ロール本体１の一側端面１ａに複数の横穴２を形成し且つ、該ロール本体１の周面に該横穴２に連通する複数の縦穴３を形成すると共に、該ロール本体１の周面に少なくとも一つの受け刃４ａ，４ｂを有してなるアンビルロール５を設け、上記アンビロール５に隣接して、上記受け刃４ａ，４ｂと接触するナイフ６ａ，６ｂをロール周面７ａに少なくとも一つ有したナイフロール７を設け、且つ、搬送されてくる連続した長尺状の被貼付シート８を上記アンビルロール５に密着させるニップロール９を設けてあり、上記横穴２に連通した上記縦穴３から吸引を行うと共に上記アンビルロール５と上記ナイフロール７を互いに逆向きとなるように回転させた状態で、該アンビルロール５の周面に、該アンビルロール５の回転速度よりも遅い速度で長尺状の貼付シート１０を巻き付けるようにして供給し、上記受け刃４ａ，４ｂと上記ナイフ６ａ，６ｂとの接触により該貼付シート１０を間欠的に切断し、その切断した短冊状の該貼付シート（以下、単に短冊テープ１０ａという）を上記被貼付シート８に転写して貼付するようにしたものである。
【００１９】
アンビルロール５は、図３及び図４に示すように、回転駆動軸１１によって回転されるロール本体１を有している。このロール本体１の一側端面１ａには、円形状をなす複数の横穴２が形成されている。これら横穴２は、所定間隔を持って円形状に配置されるように該ロール本体１の軸方向と平行に、一側端面１ａから他側端面１ｂに亘って貫通して形成されている。なお、他側端面１ｂに臨む横穴２は、リング状をなす封止部材１２によって閉塞されている。
【００２０】
また、ロール本体１の周面には、図３及び図４に示すように、円形状をなす複数の縦穴３が設けられている。これら縦穴３は、各横穴２とそれぞれ対応して該横穴２に貫通するように、且つ該ロール本体１の軸方向に沿って所定間隔を持って形成されている。別の見方をすると、各横穴２には、それぞれロール本体１の表面からそのロール中心方向に亘り垂直に形成される縦穴３が該横穴２に連通して設けられ、該縦穴３はロール本体１の軸方向に沿って所定間隔を持って複数形成されている。
【００２１】
上記縦穴３及び横穴２は、共に直径は大きい程良いが、小さすぎると圧力損失が大きくなり、サクションエアー供給源の能力を最大限に引き出せない。従って、上記圧力損失を考慮して、例えば横穴２の直径を、２０ｍｍ〜３０ｍｍとし、縦穴３の直径を、１５ｍｍ〜２５ｍｍとするのが好ましい。
このように、縦穴３の穴径を図６及び図７に示す従来のものに比べて大きくしているので、圧力損失を受け難い。また、縦穴３の穴径が大きいので、加工上も容易にできる。
【００２２】
そして、上記複数の縦穴３の開口周縁部には、図３及び図４に示すように、該縦穴３の開口面積よりも大きな開口面積を持つ開口凹部１３が形成されている。
かかる開口凹部１３は、ロール本体１の軸方向に長手方向を一致させた矩形状をなすへこみとして形成されている。
【００２３】
そして、この開口凹部１３内には、各縦穴３をそれぞれ仕切るための隔壁１４ａ，１４ｂが設けられている。これら隔壁１４ａ，１４ｂが設けられることにより、各縦穴３はそれぞれ独立して区切られると共に、該開口凹部１３が３分割された小部屋１３ａ，１３ｂ，１３ｃとなる。これら小部屋１３ａ，１３ｂ，１３ｃを設けることで、該小部屋１３ａ，１３ｂ，１３ｃでサクションエアーを受けることになるため、アンビルロール５の表面部の圧力が平面的に均一になり易い。
【００２４】
上記隔壁１４ａ，１４ｂは、後述する吸引プレート１６の剛性が弱い場合に、サクションエアーによって該吸引プレート１６がへこむ場合があるので、該吸引プレート１６を補強する役目をするようになっている。
【００２５】
上記各小部屋１３ａ，１３ｂ，１３ｃの高さは、５〜３０ｍｍとするのが好ましいが、より好ましくは１５〜３０ｍｍとする。かかる小部屋１３ａ，１３ｂ，１３ｃの高さが小さいと、アンビルロール５の表面部のサクション力が不均一になり、逆に高さが大きすぎると圧力損失が大きくなり、サクションエアー供給源の能力を最大限に引き出せない。
【００２６】
また、各横穴２に対応してそれぞれ設けられた開口凹部１３間には、各開口凹部１３をそれぞれ独立して仕切るためのリブ１５が形成されている。かかるリブ１５は、ロール本体１の軸方向に沿って形成され、ロール本体１の周方向に沿って複数形成された開口凹部１３をそれぞれ仕切るようになされている。
【００２７】
また、ロール本体１の周面には、図３に示すように、貼付シート１０を切断するためのアンビルである一対の受け刃４ａ，４ｂが設けられている。これら受け刃４ａ，４ｂは、ロール本体１の相対向する位置に、刃先をロール本体周面よりも突出させるようにして固定されている。
【００２８】
また、ロール本体１の周面には、図３及び図４に示すように、上記開口凹部１３を覆うようにして該ロール本体１の周面全体にメッシュ状の吸引プレート１６がボルト１７によって固定されている。かかる吸引プレート１６には、平織、綾織などで織られた金網や、金属／非金属薄板のパンチングメタル品、若しくはエレクトロホーミング加工（電解鋳造）によって微細孔加工されたプレートなどが用いられる。
【００２９】
上記吸引プレート１６には、複数の細かい孔が設けられているために、貼付シート１０をあたかも面全体で把持しているかのように吸着せしめ、該貼付シート１０をアンビルロール５の表面上で滑らせる場合のシワの発生を防止する効果が奏される。
【００３０】
また、吸引プレート１６の微細孔のサイズは、開口率５〜２５％、孔径２００μｍ〜１ｍｍであるのが好ましく、より好ましくは開口率５〜１５％、孔径３００〜５００μｍとする。開口率が低すぎる又は孔径が小さすぎると圧力損失が大きくなり、サクションエアー供給源の能力を最大限に引き出せない。逆に、開口率が大きすぎると、圧力が上がらないため貼付シート１０の把持力が低下する。
同様に、孔径が大きすぎると、貼付シート１０が孔に入り込み易くなり、シワの発生原因になる。
【００３１】
なお、貼付シート１０の材質又は幅等を変える場合には、アンビルロール５全体を変えずに、該貼付シート１０の材質等に適した吸引プレート１６のみを取り替えればよいので、低コストで、かつ作業性の向上が図れる。
【００３２】
そして、上記ロール本体１の一側端面１ａには、サクションリングである吸引部材１８が設けられている。かかる吸引部材１８は、上記回転駆動軸１１を回転可能に支持する一対の駆動軸支持部材１９，１９の一方に固定されており、アンビルロール５と共には回転しないようになされている。そして、この吸引部材１８は、図５に示すように、ロール本体１の直径とほぼ同一直径とされた円盤体として形成されている。
【００３３】
上記吸引部材１８の一端面１８ａには、図５に示すように、ロール本体１の一側端面１ａに開口する円形状に配列された上記横穴２に対応して、円弧状とされた溝（以下、吸引用溝２０という）が形成されている。かかる吸引用溝２０は、図２中点線で示すように、アンビルロール５の周面に貼付シート１０が巻き付く部分に対応した位置に形成されている。そして、この吸引部材１８の側面には、上記吸引用溝２０に連通するパイプ管２１が設けられている。かかるパイプ管２１は、ホース２２を介してブロアーやファン等の如きサクションエアー供給手段（図示は省略する）に接続されている。
【００３４】
従って、上記サクションエアー供給手段によって発生したサクションエアーは、ホース２２及びパイプ管２１を介して吸引用溝２０に通じることになる。そしてさらに、上記サクションエアーは、上記吸引用溝２０に対応して設けられた横穴２を介して縦穴３、小部屋１３ａ，１３ｂ，１３ｃ及び吸引プレート１６に通じ、貼付シート１０をアンビルロール５の表面に吸引させるようになっている。
なお、吸引部材１８はアンビルロール５とは独立して駆動軸支持部材１９に固定されているので、該アンビルロール５が回転したとしても、吸引用溝２０の位置は変わらず、サクションエアーが通じる範囲は常に一定なものとなっている。
【００３５】
また、上記吸引部材１８には、図５に示すように、切断後の短冊テープ１０ａを被貼付シート８に容易に転写させるためのブロー用溝２３と、該ブロー用溝２３に接続するパイプ管２４が設けられている。ブロー用溝２３は、短冊テープ１０ａを被貼付シート８に受け渡す位置（ニップロール９と対向する位置）に、上記吸引部材１８の一端面１８ａに円形状をなす開口を呈するようにして設けられている。
【００３６】
上記ブロー用溝２３からは、図示しないコンプレッサー等の如き圧縮エアー源よりパイプ管２４を介して送り込まれた圧縮エアーが吹き出るようになされている。従って、アンビルロール５が回転して横穴２が上記ブロー用溝２３と対向する位置に来ると、圧縮エアーが横穴２を介して縦穴３より吹き出て、アンビルロール５表面に吸着されていた短冊テープ１０ａを被貼付シート８に対して転写させ易くする。
【００３７】
上記ナイフロール７は、図１及び図２に示すように、上記アンビルロール５とによって上記貼付シート１０を挟み込むようにして、該アンビルロール５に隣接して配置されている。このナイフロール７には、上記受け刃４ａ，４ｂとそれぞれ接触して貼付シート１０を切断するための一対のナイフ６ａ，６ｂが設けられている。かかるナイフ６ａ，６ｂは、ナイフロール７の相対向する位置に、刃先をロール本体周面よりも突出させるようにして固定されている。
【００３８】
そして、このナイフロール７は、アンビルロール５とは逆向きに回転して、それぞれのナイフ６ａ，６ｂをそれぞれの受け刃４ａ，４ｂに対して接触させるように回転制御されている。すなわち、アンビルロール５及びナイフロール７がそれぞれ一回転する間に、一方の受け刃４ａに一方のナイフ６ａが接触し、他方の受け刃４ｂに他方のナイフ６ｂが接触するように、上記ナイフロール７がアンビルロール５に対して回転制御されている。かかるナイフロール７の回転制御には、例えばサーボモータが使用される。
【００３９】
上記ニップロール９は、図１及び図２に示すように、アンビルロール５と対向して、該アンビルロール５の回転方向下流側に配置されている。そして、このニップロール９は、搬送されてくる連続した長尺状をなす被貼付シート８を、該アンビルロール５に密着させるようになしている。上記ニップロール９には、一対の駆動ロール２５，２６によって被貼付シート８が連続して供給されるようになされている。上記被貼付シート８としては、例えばおむつや生理用ナプキン等に使用されるバックシートが使用される。
【００４０】
上記貼付シート１０は、図１及び図２に示すように、一対の駆動ロール２７，２８によってアンビルロール５に連続して供給されるようになされている。かかる貼付シート１０としては、例えば、おむつの腰部分に設けられるランディングテープ、または生理用ナプキンの装着ずれを防止するためのずれ防止用の粘着テープとして使用される、長尺状のテープが用いられる。なお、かかる貼付シート１０には、搬送途中においてアンビルロール５に巻き付けられる手前で粘着剤が塗布されるようになされている。
【００４１】
次に、以上のように構成された貼付シートの間欠切断転写装置の動作について図１及び図２を参照して詳細に説明する。
先ず、貼付シート１０を、速度Ｖ２で回転するアンビルロール５の周面に巻き掛けながら一対の駆動ロール２７，２８によって速度Ｖ１で繰り出す。このときの貼付シート１０の繰り出し速度Ｖ１は、アンビルロール５の回転速度Ｖ２に対してＶ１＜Ｖ２なる関係にある。
【００４２】
なお、貼付シート１０は、アンビルロール５の周面に巻き付く前の段階で、被貼付シート８と貼着する面に粘着剤が塗布される。
【００４３】
一方、被貼付シート８を、アンビルロール５の回転方向下流側に配置したニップロール９とアンビルロール５間に、一対の駆動ロール２５，２６によって上記アンビルロール５の回転速度Ｖ２と同速度で繰り出す。
【００４４】
上記吸引部材１８に設けられた吸引用溝２０には、サクションエアー供給手段によって発生したサクションエアーが通じるようになされている。従って、アンビルロール５が回転して上記横穴２が上記吸引用溝２０と対向する位置に来たときには、該横穴２を介して上記縦穴３にサクションエアーが通じる。そして、この縦穴３の開口周縁部に設けられた開口凹部１３（小部屋１３ａ，１３ｂ，１３ｃ）及び吸引プレート１６を通してサクションエアーが導かれ、該サクションエアーによって貼付シート１０が吸引プレート１６に吸着される。
【００４５】
このとき、巻き掛けた貼付シート１０は、アンビルロール５の表面に発生したサクションエアーによって引っ張られて速度Ｖ２で搬送されようとするが、それよりも上流の駆動ロール２７，２８によって速度Ｖ１で繰り出されている（Ｖ１＜Ｖ２）ので、アンビルロール５の表面で応力を受けながら速度Ｖ１で搬送されることになる。その結果、貼付シート１０は、アンビルロール５の周面を滑りながら速度Ｖ１で搬送されることになる。
【００４６】
上記アンビルロール５の表面に生じる応力は、貼付シート１０にシワを発生させる原因となる。特に、図６及び図７に示すような従来の方法では、サクションエアーで吸引されている部分が点であるため、貼付シート１０とアンビルロール５との間に相対速度が生じると、該貼付シート１０にすじ状にシワが発生する。
また、貼付シート１０がサクションエアーによって把持されていない部分は、アンビルロールから浮き上がってしまう。この現象は、貼付シート１０が柔軟で伸縮性のあるものであればあるほど顕著に現れる。
【００４７】
しかながら、本実施形態の装置では、アンビルロール５の表面が微細孔の吸引プレート１６なので、貼付シート１０をあたかも全面で引っ張ろうとするため、該貼付シート１０に応力が均一に分布しシワも発生せず、しかも浮き上がりもない。
【００４８】
そして、上記のようにしてアンビルロール５の周面に沿って搬送される貼付シート１０は、共に逆向きに回転するアンビルロール５及びナイフロール７のそれぞれの受け刃４ａ，４ｂ及びナイフ６ａ，６ｂが接触することにより、切断されて分離する。これら受け刃４ａ，４ｂ及びナイフ６ａ，６ｂによって切断された貼付シート１０は、短冊状をなす短冊テープ１０ａとされる。
【００４９】
上記貼付シート１０及び短冊テープ１０ａのアンビルロール５への吸着は、円弧状とされた吸引用溝２０が設けられる部分で行われるが、ニップロール９に近接する該吸引用溝２０の後端部位置まで続く。このため、短冊テープ１０ａは、切断後もアンビルロール５の周面に吸着した状態で搬送されて行く。そして、この短冊テープ１０ａがニップロール９と対向する位置に達すると、ブロー用溝２３から吹き出される圧縮エアーが、このブロー用溝２３と一致した横穴２を介して縦穴３より吹き出される。そして、この縦穴３より吹き出される圧縮エアーは、上記アンビルロール５に吸着されていた短冊テープ１０ａに吹き付けられる。
その結果、短冊テープ１０ａは、被貼付シート８に容易に転写することになる。
【００５０】
すなわち、アンビルロール５とニップロール９間に搬送されてきた短冊テープ１０ａは、これらアンビルロール５及びニップロール９によって挟み込まれながら被貼付シート８に転写されて行くと共に、圧縮エアーによって積極的に被貼付シート８に押し付けられる。そして、これらアンビルロール５及びニップロール９によって圧着されると、短冊テープ１０ａは、被貼付シート８に対して確実に転写されて貼着される。
【００５１】
このように、切断されてから転写されるまでの間、短冊テープ１０ａはアンビルロール５の表面にシワの無い状態で吸着された状態にあるので、シワ部分から空気の流入もなく、外からの引き剥がし力は発生しない。従って、本実施形態の装置によれば、特に空気流入の影響が現れる高速回転時には非常に有利となり、貼付シート１０を被貼付シート８に対して高速で安定的に且つ間欠的に貼り付けることができる。
【００５２】
以上、本発明を適用した具体的な実施形態について説明したが、本発明は上述の実施形態に制限されることなく種々の変更が可能である。
【００５３】
例えば、上述の実施形態では、吸引部材１８をアンビルロール５の一側端面１ａにのみ設けたが、該吸引部材１８を他側端面１ｂにも設けてもよい。すなわち、アンビルロール５の両側に吸引部材１８を設け、該アンビルロール５の軸方向に貫通する横穴２の両端開口側よりサクションエアーを導くようにしてもよい。
なお、この場合には、ロール本体１の他側端面１ｂに臨む横穴２の開口を閉塞していた封止部材１２を取り外す。
【００５４】
また、上述の実施形態では、貼付シート１０をアンビルロール５に巻き付ける前の段階で粘着剤を塗布したが、貼付シート１０に予め粘着剤を塗布したものを使用してもよい。
【００５５】
また、上述の実施形態では、横穴２及び縦穴３を円形穴としたが、これらの穴形状は特に制限されない。また、開口凹部１３の形状も矩形状としたが、その形状に関しても制限されない。さらに、これら横穴２及び縦穴３の数に関しても上述の実施形態には制限されない。
【００５６】
また、上述の実施形態では、受け刃４ａ，４ｂ及びナイフ６ａ，６ｂの数をそれぞれ二つずつ設けたが、これら受け刃４ａ，４ｂ及びナイフ６ａ，６ｂの数は制限されない。
【００５７】
【発明の効果】
以上の説明からも明らかなように、本発明の貼付シートの間欠切断転写装置によれば、連続した長尺状の貼付シートをアンビルロールとナイフロールとの間に供給して該貼付シートを短冊状に切断するに際して、該アンビルロールに巻き付く該貼付シートにシワを発生させず、且つ該貼付シートと該アンビルロール間に空気が流入するのを防止して、長尺状の該貼付シートを高速で間欠的に切断し、切断後の短冊状の貼付シートを被貼付シートに転写することができる。
【図面の簡単な説明】
【図１】本実施形態における貼付シートの間欠切断転写装置の側面図である。
【図２】本実施形態における貼付シートの間欠切断転写装置の斜視図である。
【図３】一方の吸引プレートを取り外した状態のアンビルロールの斜視図である。
【図４】アンビルロールの断面図である。
【図５】アンビルロールの端面に配置される吸引部材を示す斜視図である。
【図６】従来の間欠切断転写装置の切断機構部分を示す斜視図である。
【図７】従来の間欠切断転写装置のアンビルロールに巻き付く粘着シートにシワが発生した状態を示す要部拡大斜視図である。
【図８】さらに従来の間欠切断転写装置を示す側面図である。
【符号の説明】
１  ロール本体
２  横穴
３  縦穴
４ａ，４ｂ  受け刃
５  アンビルロール
６ａ，６ｂ  ナイフ
７  ナイフロール
８  被貼付シート
１０  貼付シート
１３ａ，１３ｂ，１３ｃ  小部屋
１４ａ，１４ｂ  隔壁
１６  吸引プレート
１８  吸引部材
２０  吸引用溝
２３  ブロー用溝
【図１】
0003695875.tif 000002
【図２】
0003695875.tif 000003
【図３】
0003695875.tif 000004
【図４】
0003695875.tif 000005
【図５】
0003695875.tif 000006
【図６】
0003695875.tif 000007
【図７】
0003695875.tif 000008
【図８】
0003695875.tif 000009